(57)【特許請求の範囲】
【請求項１】
第１のノードと第２のノードとの間の関連付けの初期化の方法であって、前記第１のノードは基地局であり、前記第２のノードは移動性管理エンティティであり、前記方法は：
前記第１のノードが前記第２のノードとの関連付けを確立すべきことを示すイベントを検知するステップと；
前記イベントを検知した後、前記関連付けの確立を試行する前に、少なくとも所定の時間量待機するステップと；
前記所定の時間量待機した後にのみ、前記第２のノードと前記第１のノードとの間の前記関連付けの確立を試行するステップと；
を含み、
前記方法は、前記第１のノードにおいて、前記イベントの検出に先立って前記第２のノードから送信されるメッセージを受信すること、をさらに含み、
前記第２のノードから送信される前記メッセージは、第１の時間量及び第２の時間量を特定する情報を含み、
前記第１の時間量及び前記第２の時間量は、時間ウィンドウを定義するために使用され、
前記関連付けの確立を試行するステップは、定義される前記時間ウィンドウの間にのみ生じる、
方法。
【請求項２】
前記所定の時間量は、前記第１のノードによりランダムに選択される、請求項１の方法。
【請求項３】
前記関連付けの確立を試行するステップは、前記第１のノードから前記第２のノードへメッセージを送信すること、を含む、請求項１〜２のいずれかの方法。
【請求項４】
前記第２のノードから送信される前記メッセージは、前記所定の時間量を特定する情報を含む、
請求項１〜３のいずれかの方法。
【請求項５】
前記方法は、定義される前記時間ウィンドウの範囲内の時間をランダムに選択すること、をさらに含み、
前記関連付けの確立を試行するステップは、ランダムに選択される前記時間において生じる、
請求項１の方法。
【請求項６】
前記第２のノードから送信される前記メッセージは、前記第１のノードから前記第２のノードへ送信されるセットアップ要求メッセージに応じて送信されるセットアップ応答メッセージである、
請求項１〜５のいずれかの方法。
【請求項７】
前記少なくとも所定の時間量待機するステップは、前記第２の時間量よりも長く待機しないこと、を含み、
前記関連付けの確立を試行するステップは、前記第２の時間量の満了に先立って生じる、
請求項１〜６のいずれかの方法。
【請求項８】
前記方法は、前記所定の時間量と前記第２の時間量との間にある時間量をランダムに選択すること、をさらに含み、
前記関連付けの確立を試行するステップは、ランダムに選択される前記時間量の満了時に生じる、
請求項７の方法。
【請求項９】
前記関連付けはトランスポートネットワーク層の関連付けである、
請求項１〜８のいずれかの方法。
【請求項１０】
ネットワークノードとの接続の確立を試行する前に基地局が待機すべき最小の時間量を特定する情報を前記基地局へ提供する、前記ネットワークノードのための方法であって、前記ネットワークノードは移動性管理エンティティであり、前記方法は：
前記ネットワークノードにおいて、前記基地局から送信されるセットアップ要求メッセージを受信するステップと；
前記セットアップ要求メッセージに応じて、セットアップ応答メッセージを生成するステップと；
前記基地局に前記セットアップ応答メッセージを送信するステップと；
を含み、
前記セットアップ応答メッセージを生成するステップは、前記セットアップ応答メッセージに第１の時間量及び第２の時間量を特定する情報を含めること、を含み、
前記第１の時間量及び前記第２の時間量は、時間ウィンドウを定義するために使用され、
前記接続の確立の試行は、定義される前記時間ウィンドウの間にのみ生じる、
方法。
【請求項１１】
前記方法は、
前記セットアップ応答メッセージを受信した後、前記基地局と前記ネットワークノードとの間の接続における中断を検知するステップと；
前記中断を検知した後、前記ネットワークノードと前記基地局との間の新しい接続の確立を試行する前に、所定の時間量待機するステップと；
前記所定の時間量待機した後にのみ前記基地局と前記ネットワークノードとの間の前記新しい接続の確立を試行するステップと；
をさらに含み、
前記所定の時間量は前記時間ウィンドウの範囲内である、
請求項１０の方法。
【請求項１２】
前記基地局は前記所定の時間量をランダムに選択する、請求項１１の方法。
【請求項１３】
プロセッサと；
基地局にデータを送信するための送信機と；
前記基地局によって送信されるデータを受信するための受信機と；
コンピュータ命令を含むデータ記憶装置と；
を備えるネットワークノードであって、
前記ネットワークノードは移動性管理エンティティであり、
前記コンピュータ命令は：
前記基地局から送信されるセットアップ要求メッセージを処理するための命令と；
セットアップ応答メッセージを生成するための命令と；
を含み、
前記セットアップ応答メッセージを生成するための命令は、
前記セットアップ応答メッセージに第１の時間量及び第２の時間量を特定する情報を含めるための命令と；
前記送信機を使用して、前記基地局に前記セットアップ応答メッセージを送信するための命令と；
を含み、
前記第１の時間量及び前記第２の時間量は、時間ウィンドウを定義するために使用され、
前記基地局と前記ネットワークノードとの間の接続の確立の試行は、定義される前記時間ウィンドウの間にのみ生じる、
ネットワークノード。
【請求項１４】
前記セットアップ要求メッセージはＳ１セットアップ要求メッセージである、請求項１３のネットワークノード。
【請求項１５】
プロセッサと；
ネットワークノードにデータを送信するための送信機と；
前記ネットワークノードによって送信されるデータを受信するための受信機と；
コンピュータ命令を含むデータ記憶装置と；
を備える基地局であって、
前記ネットワークノードは移動性管理エンティティであり、
前記コンピュータ命令は：
前記基地局が前記ネットワークノードとの接続を確立すべきことを示すイベントを検知するための命令と；
前記イベントを検知した後、前記ネットワークノードとの前記接続の確立を試行する前に、少なくとも所定の時間量待機するための命令と；
前記接続の確立を試行するための命令と；
を含み、
前記コンピュータ命令は、前記イベントの検出に先立って前記ネットワークノードから送信されるメッセージを受信するための命令、をさらに含み、
前記ネットワークノードから送信される前記メッセージは、第１の時間量及び第２の時間量を特定する情報を含み、
前記第１の時間量及び前記第２の時間量は、時間ウィンドウを定義するために使用され、
前記接続の確立の試行は、定義される前記時間ウィンドウの間にのみ生じる、
基地局。
【請求項１６】
前記コンピュータ命令は、前記所定の時間量をランダムに選択するための命令、をさらに含む、請求項１５の基地局。
【請求項１７】
前記接続の確立を試行するための前記命令は、前記ネットワークノードにメッセージを送信するための命令、を含む、請求項１５〜１６のいずれかの基地局。
【請求項１８】
前記ネットワークノードから送信される前記メッセージは、セットアップ応答メッセージであり、
前記所定の時間量は、前記セットアップ応答メッセージに含まれる情報に基づいて決定される、
請求項１５〜１７のいずれかの基地局。
【請求項１９】
前記基地局はｅＮｏｄｅＢである、請求項１５〜１８のいずれかの基地局。
【請求項２０】
少なくとも所定の時間量待機するための前記命令は、前記所定の時間量が経過したときに満了するタイマを設定するための命令、を含む、請求項１５〜１９のいずれかの基地局。
【請求項２１】
前記基地局は、前記タイマが満了した後にのみ前記接続の確立を試行するための前記命令を実行するように構成される、請求項２０の基地局。
【発明の詳細な説明】
【技術分野】
【０００１】
本発明は、ネットワーク内のシグナリングの負荷を低減するためのシステム及び方法に関する。
【背景技術】
【０００２】
第３世代パートナーシッププロジェクト（３ＧＰＰ）仕様で定義されているように、Ｓ１インタフェースは、Ｅ−ＵＴＲＡＮシステムにおいてｅＮｏｄｅＢと移動性管理エンティティ（ＭＭＥ：mobility  management  entity）との間のインタフェースとして使用されることができる。一般にｅＮｏｄｅＢは、ＭＭＥにＳ１セットアップ要求メッセージを送信することによって、ＭＭＥとｅＮｏｄｅＢとの間でプロトコル層を初期化しなければならない。しかし、Ｓ１セットアップ要求メッセージが送信される前に、ｅＮｏｄｅＢにより、ノード間のストリーム制御伝送プロトコル（ＳＣＴＰ：Stream  Control  Transmission  Protocol）関連付け（トランスポートネットワーク層（ＴＮＬ：transport  network  layer）関連付け）の確立を通じてＳＣＴＰプロトコルが初期化される。このようにして、（例えば何千単位の）多くのｅＮｏｄｅＢがただ１つのＭＭＥに接続することができる。通常の動作では、各ｅＮｏｄｅＢは別々にＭＭＥへの接続を試行する。
【０００３】
ｅＮｏｄｅＢとＭＭＥとの間ですでに確立されたインタフェースが切断されるときには問題が生じ得る。これは、ＭＭＥにおけるハードウェア又はソフトウェアの障害や、予期しない電力喪失など、様々な理由で起こり得る。この切断（interruption）が生じると、以前にＭＭＥに接続されたすべてのｅＮｏｄｅＢがインタフェースの再確立を試行することになる。これは、ネットワーク性能に有害な影響を及ぼす過度のシグナリングの負荷をもたらす可能性がある。
【発明の概要】
【発明が解決しようとする課題】
【０００４】
よって、例えば、切断が生じるときのシグナリングの負荷を低減するための方法及びシステムの必要が存在する。
【課題を解決するための手段】
【０００５】
本発明の一態様によれば、第１のノードと第２のノードとの間の関連付け（association）の初期化の方法が提供される。一実施形態では、この方法は以下のステップを含む。まず、第１のノードが第２のノードとの関連付けを確立すべきことを示すイベントが検知される。このイベントを検知した後、第１のノードは、第２のノードとの関連付けの確立を試行する前に、少なくとも所定の時間量待機する（所定の時間量は、第１のノード又は第２のノードによってランダムに選択されてもよく、事前に構成されてもよい）。最後に、所定の時間量待機した後、第１のノードは、第２のノードと第１のノードとの間の関連付けの確立を試行することができる。関連付けの確立を試行するステップは、第１のノードから第２のノードへメッセージを送信することを含み得る。
【０００６】
いくつかの実施形態では、この方法は、第１のノードにおいて、イベントの検知に先立って第２のノードから送信されるメッセージ（セットアップ要求メッセージに応じて送信されるセットアップ応答メッセージなど）を受信すること、も含み、第２のノードから送信されるメッセージは、所定の時間量を特定する情報を含む。他の実施形態では、この方法は、第１のノードにおいて、イベントの検知に先立って第２のノードから送信されるメッセージを受信すること、も含み、第２のノードから送信されるメッセージは、第１の時間量及び第２の時間量を特定する情報を含み、第１の時間量及び第２の時間量は、時間ウィンドウを定義するために使用され、関連付けの確立を試行するステップは、定義される時間ウィンドウの間にのみ生じる。第１のノードは、定義される時間ウィンドウの範囲内の時間をランダムに選択してもよく、関連付けの確立を試行するステップは、ランダムに選択される時間において生じる。
【０００７】
いくつかの実施形態では、少なくとも所定の時間量待機するステップは、第２の時間量よりも長く待機しないことを含み、関連付けの確立を試行するステップは、第２の時間量の満了に先立って生じる。これらの実施形態では、この方法は、所定の時間量と第２の時間量との間の時間量をランダムに選択すること、をさらに含んでいてもよく、関連付けの確立を試行するステップは、ランダムに選択される時間量の満了時に生じる。
【０００８】
いくつかの実施形態では、第１のノードは、関連付けを確立するのにいかなる時間量も待機しない場合もある。例えば、リンクにおける障害が第１のノードで確認された理由によるものであった場合、第１のノードは、障害を検知した直後に、関連付けの再確立を試行してもよい。
【０００９】
いくつかの実施形態では、第１のノードは基地局（ｅＮｏｄｅＢなど）であり、第２のノードは移動性管理エンティティ（ＭＭＥ）であり、関連付けはトランスポートネットワーク層の関連付けである。
【００１０】
本発明の別の態様は、ネットワークノードが基地局に、ネットワークノードとの接続の再確立を試行する前に、基地局が待機すべき最小の時間量を特定する情報を提供するための方法を提供する。いくつかの実施形態では、この方法は：ネットワークノードにおいて、基地局から送信されるセットアップ要求メッセージを受信することと；セットアップ要求メッセージに応じて、セットアップ応答メッセージを生成することと、を含み、セットアップ応答メッセージを生成するステップは、セットアップ応答メッセージに待機時間を特定する情報を含めることと；基地局にセットアップ応答メッセージを送信することと、を含む。待機時間は、応答メッセージに待機時間を特定する情報を含めるのに先立って、ランダムに選択されてもよい。或いは、待機時間は、ネットワークノードによって特定のセットアップ要求メッセージが受信される前の時間間隔において（ネットワーク内のすべての基地局などから）受信されているセットアップ要求の数に少なくとも部分的に基づいて決定されてもよい。
【００１１】
いくつかの実施形態では、待機時間は最小待機時間であり、セットアップ応答メッセージを生成するステップは、セットアップ応答メッセージに最大待機時間を特定する情報を含めること、をさらに含み、最小待機時間及び最大待機時間は時間ウィンドウを定義する。
【００１２】
いくつかの実施形態では、基地局は、セットアップ応答メッセージを受信し、基地局とネットワークノードとの間の接続における中断を検知した後、ネットワークノードと基地局との間の新しい接続の確立を試行する前に、所定の時間量待機し、所定の時間量は時間ウィンドウの範囲内である。基地局は、所定の時間量をランダムに選択してもよい。
【００１３】
いくつかの実施形態では、この方法は：ネットワークノードにおいて、第２の基地局から送信される第２のセットアップ要求メッセージを受信することと；第２のセットアップ要求メッセージに応じて、第２のセットアップ応答メッセージを生成することと、も含み、第２のセットアップ応答メッセージを生成するステップは、第２のセットアップ応答メッセージに第２の待機時間を特定する情報を含めることと；第２の基地局に第２のセットアップ応答メッセージを送信することと、を含み、第２のセットアップ要求メッセージは、第１のセットアップ要求メッセージが受信された後で受信され、第２の待機時間は第１の待機時間より大きい。
【００１４】
本発明の別の態様は、改善されたネットワークノードを提供する。いくつかの実施形態では、ネットワークノードは：プロセッサと；基地局にデータを送信するための送信機と；基地局によって送信されるデータを受信するための受信機と；コンピュータ命令を含むデータ記憶装置と、を含み、コンピュータ命令は：基地局から送信されるセットアップ要求メッセージを処理するための命令と；セットアップ応答メッセージを生成するための命令と、を含み、セットアップ応答メッセージを生成するための命令は、セットアップ応答メッセージに待機時間を特定する情報を含めるための命令と；送信機を使用して基地局にセットアップ応答メッセージを送信するための命令と、を含む。
【００１５】
本発明の別の態様は、改善された基地局を提供する。いくつかの実施形態では、基地局は：プロセッサと；ネットワークノードにデータを送信するための送信機と；ネットワークノードによって送信されるデータを受信するための受信機と；コンピュータ命令を含むデータ記憶装置と、を含み、コンピュータ命令は：ネットワークノードとの接続の確立を試行する前に、少なくとも所定の時間量待機するための命令と；接続の確立を試行するための命令と、を含む。
【００１６】
上記その他の態様及び実施形態を、以下で、添付の図面を参照して説明する。
【図面の簡単な説明】
【００１７】
添付の図面は、本明細書に組み込まれ、本明細書の一部を形成するものであり、本発明の様々な実施形態を例示し、さらに、以下の説明と相まって、本発明の原理を説明し、当業者が本発明を構成し及び使用することを可能にする役割を果たすものである。図面において、同類の参照符号は、同一の、又は機能的に類似する要素を表す。
【００１８】
【図１】本発明の実施形態による無線通信ネットワークを機能的に示す図である。
【図２】本発明の一実施形態による、移動性管理エンティティに向けたＴＮＬ関連付けの確立の方法を示す流れ図である。
【図３】本発明の一実施形態による、切断が生じた後の、ノードと移動性管理エンティティとの間の接続の確立の方法を示す流れ図である。
【図４】本発明の一実施形態による、接続が切断されたときの、ノードと移動性管理エンティティとの間の接続の再確立の方法を示す流れ図である。
【図５】本発明の一実施形態によるプロセスを示す流れ図である。
【図６】本発明の実施形態による移動性管理エンティティを示す機能ブロック図である。
【図７】本発明の実施形態によるネットワークノードを示す機能ブロック図である。
【発明を実施するための形態】
【００１９】
いくつかの実施形態では、本発明は、無線ネットワークにおけるノード間の切断された接続の再確立のためのシステム及び方法に関するものである。より詳細には、本発明は、過度のシグナリングの負荷を回避するようなやり方での接続の再確立のためのシステム及び方法に関するものである。
【００２０】
図１に、本発明の実施形態による例示的な無線ネットワーク１００を示す。このネットワークは、セルラ電話機、ラップトップ、ＰＤＡ、ページャ、他のＵＥといった、複数のユーザ端末（ＵＥ：user  equipment）１１０（別名「ユーザ機器」１１０）を備える。ユーザ機器１１０はそれぞれ、ユーザ機器インタフェース１０８を介してノード１０４（ｅＮｏｄｅＢといった基地局など）に接続されている。本発明のいくつかの実施形態によれば、ユーザ機器インタフェース１０８は、無線周波数（ＲＦ）インタフェースであってよい。
【００２１】
各ノード１０４は、インタフェース１０６を介してノード１０２（移動性管理エンティティ（ＭＭＥ）や他の類似のノードなど）に接続されていてもよい。本発明のいくつかの実施形態によれば、インタフェース１０６はＳ１インタフェースである。各ノード１０２は、多数のノード１０４をそこに接続させることができる。例えば、本発明のいくつかの実施形態では、各ノード１０２に３００００台ものノード１０４を接続させる。ノード１０２はコア・ネットワーク・インタフェース１１４を介して他のコア・ネットワーク・ノード１１２とインタフェースしてもよい。
【００２２】
ノード１０２と１つ又は複数のノード１０４との間のインタフェース１０６は、時々、例えば、電源異常、ソフトウェア障害、ハードウェア障害などによって、或いは運用及び保守のために切断状態になることがある。これが発生すると、各ノード１０４は、ノード１０４とノード１０２との間のインタフェース１０６を再確立する必要がある。図２に、本発明の一実施形態によるインタフェースの再確立の方法２００を示す。
【００２３】
方法２００はステップ２０２において開始することができ、ここでノード１０４は、ノード１０２に向けた関連付け（ＴＮＬ関連付けなど）を確立する必要があるかどうか判定する。その必要がない場合（すなわちその関連付けがすでに存在する場合）、この方法は何も行わず、ループバックする。関連付けが確立される必要がある場合、ノード１０４は、ステップ２０６において関連付けの確立を試行する前に、ステップ２０４において所定の時間量待機する。例えば、ステップ２０４において、ノード１０４は、事前に構成される時間量（ノード１０４の記憶装置に記憶される値によって特定される時間量など）待機してもよく、ノード１０４が値をランダムに選択（例えば、乱数発生器を使用してランダムな値を生成するなど）し、次いでその値に基づく時間量待機してもよい。
【００２４】
図３は、本発明の実施形態による、ノード１０４とノード１０２との間のインタフェース１０６の確立、並びにインタフェース１０６が切断された場合のインタフェース１０６の再確立、の方法３００を示す流れ図である。方法３００によれば、ステップ３０２において、ノード１０４はノード１０２にセットアップ要求メッセージを送信する。ステップ３０４において、ノード１０４がノード１０２から、セットアップ要求メッセージが送信されたときから時間量Ｘ（例えばおおよそ１秒程度）以内にセットアップ要求メッセージへの応答を受信したかどうかが判定される。応答が時間制限以内に受信されない場合、プロセス３００はステップ３１０に進み、受信されれば、プロセス３００はステップ３０６に進む。第１のセットアップ要求に応答して、ノード１０２はノード１０４へ応答を送信するはずである。応答は、待機時間を特定する情報（何らかの値など）を含んでいてもよい。
【００２５】
ステップ３０６において、ノード１０４は、ノード１０４とノード１０２との間のインタフェース１０６における切断が生じているかどうか判定する。切断が生じていない場合、ノードはステップ３０８で正常に機能する。しかし、ノード１０４が切断が生じていることを検知した場合、ステップ３１０において、ノード１０４は、所定の待機時間（事前に構成される待機時間やセットアップ要求への応答においてノード１０２によって指定される待機時間など）待機する。ノード１０４が待機時間待機した後、プロセス３００はステップ３０２にループバックし、そこでノード１０４は、次のセットアップ要求メッセージを送信する。
【００２６】
図４は、本発明の実施形態による、ノード１０４とノード１０２との間のインタフェース１０６の確立、並びにインタフェース１０６が切断された場合のインタフェース１０６の再確立、の方法４００を示す流れ図である。ステップ４０２において、ノード１０４はノード１０２にセットアップ要求メッセージを送信する。
【００２７】
ステップ４０４において、ノード１０４がノード１０２から、セットアップ要求メッセージが送信されたときから時間量Ｘ（例えばおおよそ１秒程度）以内に、セットアップ要求メッセージへの応答を受信したかどうかが判定される。応答が時間制限以内に受信されない場合、プロセス４００はステップ４１０に進み、そうでない場合、プロセス４００はステップ４０６に進む。第１のセットアップ要求に応答して、ノード１０２はノード１０４に応答を送信するはずである。応答は、待機時間ウィンドウを特定する情報（何らかの１つ又は複数の値など）を含んでいてもよい。例えば、応答は、最小待機時間及び／又は最大待機時間を特定する情報を含んでいてもよい。
【００２８】
ステップ４０６で、ノード１０４は、ノード１０４とノード１０２との間のインタフェース１０６において切断が生じているかどうか判定する。切断が生じていない場合、ノード１０４はステップ４０８において正常に機能する。しかし、ノード１０４が、切断を検知した場合、ステップ４１０において、ノード１０４は、待機時間ウィンドウ（ノード１０４に送信される応答メッセージにおいて特定される待機時間ウィンドウや事前に構成される待機時間ウィンドウなど）の範囲内の待機時間を選択する。いくつかの実施形態では、ノード１０４は、時間ウィンドウの範囲内にある値をランダムに選択してもよい。例えば、待機時間ウィンドウが、最小待機時間及び最大待機時間を特定する情報によって定義される場合、ノード１０４は、最小待機時間と最大待機時間との間の乱数を生成してもよい。次に、ステップ４１２において、ノード１０４は、選択された待機時間（選択される待機時間は３秒間などとすることができる）待機する。ノード１０４は、選択された待機時間待機した後にのみ、ノード１０２に次のセットアップ要求を送信する。
【００２９】
次に図５を参照すると、図５は、本発明の一実施形態による、ノード１０２（ＭＭＥなど）によって実行される方法５００を示す流れ図である。方法５００はステップ５０２において開始することができ、ここでノード１０２は、ノード１０４から送信されるセットアップ要求メッセージを受信する。次に（ステップ５０４）、ノード１０２は、ノード１０２が最近の時間量Ｘ以内（最近の５分以内など）に受信しているセットアップ要求メッセージの数を判定する。次に（ステップ５０６）、ノード１０２は、待機時間又は待機時間ウィンドウを選択する。待機時間又は待機時間ウィンドウを選択するステップは、待機時間の集合の中から待機時間をランダムに選択することと、乱数を生成し、この数を使用して待機時間を決定することと、ノードの記憶装置（図６の記憶装置６０６など参照）から待機時間値を取り出すこととを含み、又はこれらのことから成っていてもよい。加えて、ノード１０２は、ステップ５０６を実行するに際して、ステップ５０４で判定される情報を使用して待機時間を選択してもよい。例えば、選択される待機時間は、セットアップ要求の数が増加するにつれて待機時間が増加又は減少するように、受信されるセットアップ要求の数の関数とすることができる。よって、ノード１０２は、各後続セットアップ要求に応答して、より長い／より短い待機時間を選択することもできるはずである。次に（ステップ５０８）、ノード１０２は、応答メッセージを生成し、このメッセージに、選択される待機時間又は待機時間ウィンドウを特定する情報を含める。次に（ステップ５１０）、ノード１０２は、セットアップ要求メッセージを送信したノード１０４に、応答メッセージを送信する。
【００３０】
次に図６を参照すると、図６には、本発明の実施形態による、例示的なノード１０２の機能ブロック図が示されている。ノード１０２はプロセッサ６０２を備えていてもよい。プロセッサ６０２は、送受信回路６０４ａ及び６０４ｂとやりとりする。送受信回路６０４ａは、インタフェース１１４を介してコアネットワーク１１２と通信するように構成されてもよい。同様に、送受信回路６０４ｂも、インタフェース１０６を介して複数のノード１０４と通信するように構成することができる。図６には、２つの別個の送受信回路６０４ａ及び６０４ｂを有するノード１０２が示されているが、１つの回路を使用して送受信回路６０４ａと６０４ｂ両方の機能を果たすこともできることを、当業者は理解するであろう。
【００３１】
また、ノード１０２は、複数のコンピュータ命令６０８（すなわちソフトウェア）が記憶されているデータ記憶装置６０６も含んでいてよい。プロセッサ６０２は、データ記憶装置上に記憶されたソフトウェア６０８を実行するように構成されてもよい。ソフトウェア６０８は、プロセッサ６０２がソフトウェア６０８を実行すると、ノード１０２が、図５に示す流れ図を参照しながら上で説明したステップを実行するように構成される。例えば、ソフトウェア６０８はノード１０４に、ノード１０４から受信されるセットアップ要求への応答を送信するためのコンピュータ命令を含んでいてもよく、この応答は、記憶装置６０６に記憶され得る設定待機時間を特定する情報、又はやはり記憶装置６０６に記憶され得る最小待機時間及び／若しくは最大待機時間を特定する情報を含む。また、ソフトウェア５０８は、待機時間を選択するためのコンピュータ命令も含んでいてよく、これらのコンピュータ命令は、乱数を生成するためのコンピュータ命令、又は受信されるセットアップ要求の数を所与の時間間隔で追跡するためのコンピュータ命令と、この情報に基づいて待機時間を選択するための命令とを含んでいてもよい。
【００３２】
次に図７を参照すると、図７には、本発明の実施形態による、例示的なノード１０４の機能ブロック図が示されている。ノード１０４はプロセッサ７０２を備えていてもよい。プロセッサ７０２は、送受信回路７０４ａ及び７０４ｂとやりとりするように構成されてもよい。送受信回路７０４ａは、インタフェース１０６を介してノード１０２と通信するように構成されてもよい。同様に、送受信回路７０４ｂも、インタフェース１０８を介して複数のユーザ機器と通信するように構成されてもよい。図７には、２つの別個の送受信回路７０４ａ及び７０４ｂを有するノード１０４が示されているが、１つの回路を使用して送受信回路７０４ａと７０４ｂ両方の機能を果たすこともできることを、当業者は理解するであろう。
【００３３】
また、ノード１０４は、ソフトウェア７０８を記憶するデータ記憶装置７０６も含んでいてよい。プロセッサ７０２は、ソフトウェア７０８を実行するように構成されてもよい。ソフトウェア７０８は、プロセッサ７０２がソフトウェア７０８を実行すると、ノード１０４が図２〜４に示す流れ図を参照しながら上で説明したステップを実行するように構成される。例えば、ソフトウェア７０８は、ノード１０２にセットアップ要求メッセージを送信するためのコンピュータ命令と；インタフェース１０６における切断を検知するためのコンピュータ命令と；切断の検知に応答して、記憶装置７０６から、待機時間を特定する情報を取り出すためのコンピュータ命令と；待機時間をランダムに選択するためのコンピュータ命令；及び／又は待機時間を選択する際に使用されるランダムな値を生成するためのコンピュータ命令と、を含んでいてもよい。
【００３４】
本明細書で説明するプロセスは、一連の、又はひと続きのステップとして例示されているが、これらのステップは、特に明示されない限り、必ずしも前述の順序で実行されなくてもよい。
【００３５】
さらに、以上においては本発明の様々な実施形態が説明されているが、これらの実施形態は、限定ではなく、例示として提示されているにすぎないことも理解すべきである。よって、本発明の範囲は、前述の例示的な実施形態のいずれによっても限定されるべきではない。
【図１】
0005215469.tif 000002
【図２】
0005215469.tif 000003
【図３】
0005215469.tif 000004
【図４】
0005215469.tif 000005
【図５】
0005215469.tif 000006
【図６】
0005215469.tif 000007
【図７】
0005215469.tif 000008